(57)【特許請求の範囲】
【請求項１】
基板上に複数の第１電極を形成する工程と、
前記複数の第１電極上に発光層を形成する工程と、
前記発光層上に第２電極を形成する工程と、を有するエレクトロルミネッセンス装置の製造方法であって、
複数の前記第１電極はそれぞれ、第１の領域に第１の厚さ、前記第２の領域に前記第１の厚さとは異なる第２の厚さで形成され、
前記複数の第１電極を形成する工程は、
前記基板上に前記第１の厚さから前記第２の厚さを引いた厚さの第１の導電膜を形成する第１工程と、
前記第１の導電膜上に第１のレジストマスクを形成する第２工程と、
前記第１のレジストマスクを用いて前記第１の導電膜をパターニングする第３工程と、
前記第３工程の後、前記基板および前記第１の導電膜上に前記第２の厚さの第２の導電膜を形成する第４工程と、
前記第２の導電膜上に第２のレジストマスクを形成する第５工程と、
前記第２のレジストマスクを用いて前記第２の導電膜をパターニングする第６工程と、を含み、
前記第２工程において、前記第１のレジストマスクを前記第１の領域に形成し、
前記第５工程において、前記第２のレジストマスクを前記第１の領域と、前記第１の領域とは異なる第２の領域と、に形成して、前記複数の第１電極を構成する導電膜を形成することを特徴とするエレクトロルミネッセンス装置の製造方法。
【請求項２】
請求項１に記載のエレクトロルミネッセンス装置の製造方法であって、
複数の前記第１電極はそれぞれ、前記第１の領域に第１の厚さ、前記第２の領域に前記第１の厚さとは異なる第２の厚さ、前記第３の領域は前記第１の厚さおよび前記第２の厚さとは異なる第３の厚さで形成され、
前記複数の第１電極を形成する工程は、
前記基板上に前記第１の厚さから前記第２の厚さを引いた厚さの第１の導電膜を形成する第１工程と、
前記第１の導電膜上に第１のレジストマスクを形成する第２工程と、
前記第１のレジストマスクを用いて前記第１の導電膜をパターニングする第３工程と、
前記第３工程の後、前記基板および前記第１の導電膜上に前記第２の厚さから前記第３の厚さを引いた厚さの第２の導電膜を形成する第４工程と、
前記第２の導電膜上に第２のレジストマスクを形成する第５工程と、
前記第２のレジストマスクを用いて前記第２の導電膜をパターニングする第６工程と、
前記第６工程の後、前記基板および前記第２の導電膜上に前記第３の厚さの第３の導電膜を形成する第７工程と、
前記第３の導電膜上に第３のレジストマスクを形成する第８工程と、
前記第３のレジストマスクを用いて前記第３の導電膜をパターニングする第９工程と、を含み、
前記第２工程において、前記第１のレジストマスクを前記第１の領域に形成し、
前記第５工程において、前記第２のレジストマスクを前記第１の領域と、前記第１の領域とは異なる第２の領域と、に形成し、
前記第８工程において、前記第３のレジストマスクを前記第１の領域、前記第２の領域、および前記第１の領域と前記第２の領域とは異なる第３の領域に形成して、前記複数の第１電極を構成する導電膜を形成することを特徴とするエレクトロルミネッセンス装置の製造方法。
【請求項３】
前記複数の第１電極、前記発光層、および前記第２電極を備えた複数の発光素子は、赤色に発光する赤色発光素子、緑色に発光する緑色発光素子、および青色に発光する青色発光素子を有し、
前記第１の領域は、前記赤色発光素子形成領域であり、
前記第２の領域は、前記緑色発光素子形成領域であり、
前記第３の領域は、前記青色発光素子形成領域であることを特徴とする請求項２に記載のエレクトロルミネッセンス装置の製造方法。
【請求項４】
前記発光層で発生した光は、前記第２電極側に出射されることを特徴とする請求項１乃至３に記載のエレクトロルミネッセンス装置の製造方法。
【請求項５】
前記基体と前記第１電極との間に反射層を形成する工程を含み、
前記発光層から出射された光は前記反射層で反射して光共振器を形成すること特徴とする請求項４に記載のエレクトロルミネッセンス装置の製造方法。
【請求項６】
前記第１電極と前記反射層との間に絶縁保護層を形成する工程を含み、
前記絶縁保護層は、光透過性であり、かつ前記複数の第１電極の下層に共通して等しい厚さで形成されていることを特徴とする請求項５に記載のエレクトロルミネッセンス装置の製造方法。
【請求項７】
前記反射層は、アルミニウム、アルミニウム合金、銀、および銀合金のうちのいずれかからなることを特徴とする請求項５または６に記載のエレクトロルミネッセンス装置の製造方法。
【請求項８】
前記絶縁保護層の屈折率は、前記複数の第１電極の屈折率よりも小さいことを特徴とする請求項６に記載のエレクトロルミネッセンス装置の製造方法。
【発明の詳細な説明】
【技術分野】
【０００１】
本発明は、エレクトロルミネッセンス装置、エレクトロルミネッセンス装置の製造方法および電子機器に関するものである。
【背景技術】
【０００２】
携帯電話機、パーソナルコンピュータやＰＤＡ（Ｐｅｒｓｏｎａｌ  Ｄｉｇｉｔａｌ
Ａｓｓｉｓｔａｎｔｓ）などの電子機器に使用される表示装置や、デジタル複写機やプリンタなどの画像形成装置における露光用ヘッドとして、有機エレクトロルミネッセンス（ＥＬ／Ｅｌｅｃｔｒｏｌｕｍｉｎｅｓｃｅｎｃｅ）装置などの発光装置が注目されている。この種の発光装置をカラー用に構成するにあたっては、従来、発光層を構成する材料を画素毎に変えることにより、各画素から各色の光が出射されるように構成されている。
【０００３】
その一方で、発光層の下層側に形成された下層側反射層と発光層の上層側に形成された上層側反射層との間に光共振器を形成するとともに、ＩＴＯ（Ｉｎｄｉｕｍ  Ｔｉｎ  ｏｘｉｄｅ）などからなる陽極の厚さを変えることにより光共振器の光学長を画素毎に変えて、発光素子の出射光から各色の光を取り出す技術が提案されている（例えば、特許文献１参照）。
【特許文献１】特許第２７９７８８３号公報
【発明の開示】
【発明が解決しようとする課題】
【０００４】
上記特許文献１に記載の技術を利用して、発光層からみて基板側に光を出射するボトムエミッション型の有機ＥＬ装置を構成する場合には、下層側反射層を半透過反射層で構成することになる。また、発光層からみて基板とは反対側に光を出射するトップエミッション型の有機ＥＬ装置を構成する場合には、下層側反射層をアルミニウムや銀などといった反射率の高い金属膜で構成することになる。
【０００５】
また、ＩＴＯ膜によって陽極を形成するには、ＩＴＯ膜を成膜した後、ＩＴＯ膜の上層にフォトリソグラフィ技術を用いてレジストマスクを形成し、エッチングを行うことになる。このため、陽極の厚さを赤色用の画素、緑色用の画素、青色用の画素で相違させるには、上記の工程を３回以上、繰り返す必要がある。その結果、ＩＴＯ膜をエッチングするのに用いたエッチング液あるいはエッチングガスによって下層側反射層がエッチングされてしまい、下層側反射層の反射特性の低下や下層側反射層の欠落などが発生するという問題点が生じる。かかる下層側反射層のエッチングは、下層側反射層がＩＴＯから露出するエッチング終期に限らず、ＩＴＯに微小な孔があいている場合、エッチング開始直後から発生する可能性がある。
【０００６】
また、画素毎に陽極の厚さを変えるために、例えば、上記の３回の工程ごとにエッチング時間を変える方法が考えられる。しかし、工程ごとのエッチング時間が異なると、工程管理が難しくなるのみならず、長いエッチング時間が生じることにより、サイドエッジの発生などの不都合が生じてしまう。
【０００７】
本発明は、上記事情に鑑みてなされたものであり、画素によって厚さの異なる陽極を形成する場合でも、陽極の下層側に位置する光共振器用の下層側反射層が劣化することのないエレクトロルミネッセンス装置、エレクトロルミネッセンス装置の製造方法および電子機器を提供することを目的とする。
また、本発明は、画素によって厚さの異なる陽極を、比較的に容易にかつ高精度に形成することができるエレクトロルミネッセンス装置、エレクトロルミネッセンス装置の製造方法および電子機器を提供することを目的とする。
【課題を解決するための手段】
【０００８】
上記目的を達成するために、本発明のエレクトロルミネッセンス装置の製造方法は、基板上に複数の第１電極を形成する工程と、前記複数の第１電極上に発光層を形成する工程と、前記発光層上に第２電極を形成する工程と、を有するエレクトロルミネッセンス装置の製造方法であって、複数の前記第１電極はそれぞれ、第１の領域に第１の厚さ、前記第２の領域に前記第１の厚さとは異なる第２の厚さで形成され、前記複数の第１電極を形成する工程は、前記基板上に前記第１の厚さから前記第２の厚さを引いた厚さの第１の導電膜を形成する第１工程と、前記第１の導電膜上に第１のレジストマスクを形成する第２工程と、前記第１のレジストマスクを用いて前記第１の導電膜をパターニングする第３工程と、前記第３工程の後、前記基板および前記第１の導電膜上に前記第２の厚さの第２の導電膜を形成する第４工程と、前記第２の導電膜上に第２のレジストマスクを形成する第５工程と、前記第２のレジストマスクを用いて前記第２の導電膜をパターニングする第６工程と、を含み、前記第２工程において、前記第１のレジストマスクを前記第１の領域に形成し、前記第５工程において、前記第２のレジストマスクを前記第１の領域と、前記第１の領域とは異なる第２の領域と、に形成して、前記複数の第１電極を構成する導電膜を形成することを特徴とする。
上記目的を達成するために、本発明のエレクトロルミネッセンス装置の製造方法は、基板上において、複数色にそれぞれ対応する複数の画素の各々に、光透過性の陽極層、少なくとも発光層を含む機能層、および陰極層が積層された発光素子を備えたエレクトロルミネッセンス装置の製造方法であって、前記陽極層は、少なくとも、前記複数色における第１色（例えば緑）の画素形成領域には第１の厚さ（ｇ）で形成され、前記複数色における第２色（例えば青）の画素形成領域には第２の厚さ（ｂ）で形成されるものであり、前記第１の厚さから前記第２の厚さを引いた厚さ（ｇ−ｂ）の前記陽極層を前記第１色の画素形成領域に形成する第１工程と、前記第２の厚さ（ｂ）の前記陽極層を前記第１色の画素形成領域と前記第２色の画素形成領域とに形成する第２工程とを有することを特徴とする。
本発明は、例えば２色の原色（例えば緑色と青色など）で色を表現するエレクトロルミネッセンス装置において、各色での光共振に最適な光学膜厚の陽極層を比較的容易に実現することができる。
例えば、赤色の画素領域に第１の厚さｄｇの陽極層を形成し、緑色の画素領域に第２の厚さｄｂの陽極層を形成することとする。そして、第１工程において、赤色の画素領域にｄｇ−ｄｂの厚さの陽極層を形成する。次いで、第２工程において、赤色の画素領域に第２の厚さｄｂの陽極層を積層し、同時に、緑色の画素領域に第２の厚さｄｂの陽極層を形成する。すると、赤色の画素領域では、（ｄｇ―ｄｂ＋ｄｂ）＝ｄｇの厚さの陽極層が形成され、緑色の画素領域では、ｄｂの厚さの陽極層が形成されることとなる。
ここで、第１の厚さｄｇは第２の厚さｄｂの２倍程度とすることができ、各工程で形成する陽極層の厚さを同程度にすることができる。したがって、本発明によれば、第１工程と第２工程とでエッチング時間を同程度に近づけることができる。そこで、本発明は、フォトリソ工程の回数増大を抑えながら、長時間のエッチングによるサイドエッジの発生などを回避でき、工程管理を容易化することもできる。
【０００９】
上記目的を達成するために、本発明のエレクトロルミネッセンス装置の製造方法は、複数の前記第１電極はそれぞれ、前記第１の領域に第１の厚さ、前記第２の領域に前記第１の厚さとは異なる第２の厚さ、前記第３の領域は前記第１の厚さおよび前記第２の厚さとは異なる第３の厚さで形成され、前記複数の第１電極を形成する工程は、前記基板上に前記第１の厚さから前記第２の厚さを引いた厚さの第１の導電膜を形成する第１工程と、前記第１の導電膜上に第１のレジストマスクを形成する第２工程と、前記第１のレジストマスクを用いて前記第１の導電膜をパターニングする第３工程と、前記第３工程の後、前記基板および前記第１の導電膜上に前記第２の厚さから前記第３の厚さを引いた厚さの第２の導電膜を形成する第４工程と、前記第２の導電膜上に第２のレジストマスクを形成する第５工程と、前記第２のレジストマスクを用いて前記第２の導電膜をパターニングする第６工程と、前記第６工程の後、前記基板および前記第２の導電膜上に前記第３の厚さの第３の導電膜を形成する第７工程と、前記第３の導電膜上に第３のレジストマスクを形成する第８工程と、前記第３のレジストマスクを用いて前記第３の導電膜をパターニングする第９工程と、を含み、前記第２工程において、前記第１のレジストマスクを前記第１の領域に形成し、前記第５工程において、前記第２のレジストマスクを前記第１の領域と、前記第１の領域とは異なる第２の領域と、に形成し、前記第８工程において、前記第３のレジストマスクを前記第１の領域、前記第２の領域、および前記第１の領域と前記第２の領域とは異なる第３の領域に形成して、前記複数の第１電極を構成する導電膜を形成することを特徴とする。
上記目的を達成するために、本発明のエレクトロルミネッセンス装置の製造方法は、基板上において、複数色（例えば赤、緑、青）にそれぞれ対応する複数の画素の各々に、光透過性の陽極層、少なくとも発光層を含む機能層、および陰極層が積層された発光素子を備えたエレクトロルミネッセンス装置の製造方法であって、前記陽極層は、前記複数色における第１色（例えば赤）の画素形成領域には第１の厚さで形成され、前記複数色における第２色（例えば緑）の画素形成領域には第２の厚さで形成され、前記複数色における第３色（例えば緑）の画素形成領域には第３の厚さで形成されるものであり、前記第１の厚さから前記第２の厚さを引いた厚さの前記陽極層を前記第１色の画素形成領域に形成する第１工程と、前記第２の厚さから前記第３の厚さを引いた厚さの前記陽極層を前記第１色の画素形成領域と前記第２色の画素形成領域とに形成する第２工程と、前記第３の厚さの前記陽極層を前記第１色の画素形成領域と前記第２色の画素形成領域と前記第３色の画素形成領域とに形成する第３工程とを有することを特徴とする。
本発明は、例えば３原色（赤色、緑色、青色）で色を表現するエレクトロルミネッセンス装置において、各色での光共振に最適な光学膜厚の陽極層を比較的容易に実現することができる。
例えば、赤色の画素領域に第１の厚さｄｒの陽極層を形成し、緑色の画素領域に第２の厚さｄｇの陽極層を形成し、青色の画素領域に第３の厚さｄｂを形成することとする。そして、第１工程において、赤色の画素領域にｄｒ−ｄｇの厚さの陽極層を形成する。次いで、第２工程において、赤色の画素領域にｄｇ−ｄｂの厚さの陽極層を積層し、緑色の画素領域にｄｇ−ｄｂの厚さの陽極層を形成する。次いで、第３工程において、赤色の画素領域に第３の厚さｄｂの陽極層を積層し、緑色の画素領域に第３層の厚さｄｂの陽極層を積層し、青色の画素領域に第３層の厚さｄｂの陽極層を形成する。
すると、赤色の画素領域では、（ｄｒ―ｄｇ）＋（ｄｇ−ｄｂ）＋ｄｂ＝ｄｒの厚さの陽極層が形成される。緑色の画素領域では、（ｄｇ−ｄｂ）＋ｄｂ＝ｄｇの厚さの陽極層が形成される。青色の画素領域では、ｄｂの厚さの陽極層が形成されることとなる。
これらにより、各工程で形成する陽極層の厚さを同程度にすることができる。したがって、本発明によれば、第１から第３工程のそれぞれにおいてエッチング時間を同程度に近づけることができる。そこで、本発明は、フォトリソ工程の回数増大を抑えながら、長時間のエッチングによるサイドエッジの発生などを回避でき、工程管理を容易化することもできる。
【００１０】
また、本発明のエレクトロルミネッセンス装置の製造方法は、前記複数の第１電極、前記発光層、および前記第２電極を備えた複数の発光素子は、赤色に発光する赤色発光素子、緑色に発光する緑色発光素子、および青色に発光する青色発光素子を有し、前記第１の領域は、前記赤色発光素子形成領域であり、前記第２の領域は、前記緑色発光素子形成領域であり、前記第３の領域は、前記青色発光素子形成領域であることを特徴とする。
また、本発明のエレクトロルミネッセンス装置の製造方法は、前記発光層で発生した光は、前記第２電極側に出射されることを特徴とする。
また、本発明のエレクトロルミネッセンス装置の製造方法は、前記基体と前記第１電極との間に反射層を形成する工程を含み、前記発光層から出射された光は前記反射層で反射して光共振器を形成すること特徴とする。
また、本発明のエレクトロルミネッセンス装置の製造方法は、前記発光素子が、前記陽極層の下層側に下層側反射層を備えた光共振器が形成されたエレクトロルミネッセンス素子であり、前記第１色は赤色であり、前記第２色は緑色であり、前記第３色は青色であり、前記第１工程から第３工程はそれぞれフォトリソグラフィ工程を用いて行われることが好ましい。
本発明によれば、発光層から見て基板とは反対側に光が出射されるトップエミッション型のＥＬ装置の製造方法において、フォトリソ工程の回数増大を抑えながら、長時間のエッチングによるサイドエッジの発生などを回避でき、工程管理を容易化することもできる。
【００１１】
上記目的を達成するために、本発明のエレクトロルミネッセンス装置は、基板上において、複数色（例えば赤、緑、青）にそれぞれ対応する複数の画素の各々に、光透過性の陽極層、少なくとも発光層を含む機能層、および陰極層が積層された発光素子を備えたエレクトロルミネッセンス装置であって、前記陽極層は、前記複数色における第１色（例えば赤）の画素形成領域には第１の厚さで形成され、前記複数色における第２色（例えば緑）の画素形成領域には第２の厚さで形成され、前記複数色における第３色（例えば緑）の画素形成領域には第３の厚さで形成されており、さらに前記陽極層は、前記第１の厚さから前記第２の厚さを引いた厚さの前記陽極層を前記第１色の画素形成領域に形成する第１工程と、前記第２の厚さから前記第３の厚さを引いた厚さの前記陽極層を前記第１色の画素形成領域と前記第２色の画素形成領域とに形成する第２工程と、前記第３の厚さの前記陽極層を前記第１色の画素形成領域と前記第２色の画素形成領域と前記第３色の画素形成領域とに形成する第３工程とを、少なくとも用いて形成されたものであることを特徴とする。
本発明によれば、画素領域ごとに異なる厚さの陽極層を有するエレクトロルミネッセンス装置を低コストで、かつ信頼性の高い製品として提供することができる。ここで、各工程で積層された陽極層同士の界面は、その物性が外面以外の部分の物性と異なることから、特定することができる。
【００１２】
また、本発明のエレクトロルミネッセンス装置は、前記発光層で発生した光が当該発光層から見て前記基板とは反対側に出射されるものであることが好ましい。
本発明によれば、所謂トップエミッション型のＥＬ装置を低コストで、かつ信頼性の高い製品として提供することができる。
【００１３】
また、本発明のエレクトロルミネッセンス装置の製造方法は、前記第１電極と前記反射層との間に絶縁保護層を形成する工程を含み、前記絶縁保護層は、光透過性であり、かつ前記複数の第１電極の下層に共通して等しい厚さで形成されていることを特徴とする。
また、本発明のエレクトロルミネッセンス装置は、前記発光素子が、前記陽極層の下層側に下層側反射層を備えた光共振器が形成されたエレクトロルミネッセンス素子であり、前記陽極層と前記下層側反射層との層間には該下層側反射層を覆う光透過性の絶縁保護層が形成されていることが好ましい。
本発明によれば、陽極層の厚さが相違する画素が含まれているため、このような陽極層を形成する際に複数回のエッチング工程を行うことになる。しかし、本発明のエレクトロルミネッセンス装置は、陽極層と下層側反射層との層間に、当該下層側反射層を覆う光透過性の絶縁保護層が形成されているため、下層側反射層を形成した以降、陽極層を形成するのに複数回のエッチング工程を行っても、かかるエッチングによって下層側反射層が劣化することを回避できる。
【００１４】
また、本発明のエレクトロルミネッセンス装置は、前記下層側反射層がアルミニウム、アルミニウム合金、銀、および銀合金のうちのいずれかからなることが好ましい。
アルミニウム、アルミニウム合金、銀、銀合金などの金属層は、陽極層形成時のエッチング液、エッチングガス又は剥離液によって劣化し易い。しかし、本発明によれば、絶縁保護層により下層側反射層を覆っているので、上記エッチング液などによって下層側反射層が劣化することを回避できる。また、本発明は、下層側反射層にアルミニウム又は銀などを主成分とする金属を用いることにより、下層側反射層での反射率を高めることができ、光取り出し効率の高いエレクトロルミネッセンス装置を提供することができる。
【００１５】
また、本発明のエレクトロルミネッセンス装置は、前記絶縁保護層の屈折率が前記陽極層の屈折率よりも小さいことが好ましい。
本発明によれば、下層側反射層と陽極層との間に絶縁保護層を形成すると、この絶縁保護層の光学距離（厚さ×屈折率）が光共振器の光学距離に含まれることとなる。ここで、光共振器に求められる光学距離は画素が対応する色毎に決まっている。そこで、絶縁保護層の屈折率が大であると、陽極層を薄くしなければならず、あまりに薄い陽極層を高精度に形成することは困難であるので、陽極層の厚さ精度が低下する。しかし、本発明では、絶縁保護層の屈折率が小であるため、陽極層を厚くすることができ、厚さについて精度の高い陽極層を簡便に形成することができる。このような観点より、絶縁保護層は、ＳｉＮ、ＳｉＯ２又はアクリル系樹脂などが好ましい。
【００１６】
また、本発明のエレクトロルミネッセンス装置は、前記陽極層が、画素毎に前記光共振器の光学距離を赤色光、緑色光、青色光のいずれかに対応する長さとする厚さに設定されていることが好ましい。
本発明によれば、赤色、緑色および青色を原色とするカラー表示のエレクトロルミネッセンス装置を、低コストで、かつ信頼性の高い製品として提供することができる。
【００１７】
上記目的を達成するために、本発明の電子機器は、前記エレクトロルミネッセンス装置を備えたことを特徴とする。
本発明によれば、高品位のカラー画像を表示することができる電子機器を、低コストでかつ信頼性の高い製品として提供することができる。
【発明を実施するための最良の形態】
【００１８】
以下、本発明の実施形態について図面を参照して説明する。なお、以下の説明に用いた各図では、各層及び各部材を図面上で認識可能な程度の大きさとするため、各層及び各部材毎に縮尺を相違させてある。
【００１９】
［第１実施形態］
（ＥＬ装置の基本構成）
図１は、本発明の第１実施形態に係る有機ＥＬ装置（ＥＬ装置）の構成を模式的に示す断面図である。
【００２０】
図１において、本実施形態の有機ＥＬ装置１は、発光層１４から見て基板１１側とは反対側に向けて表示光を出射するトップエミッション型の装置であり、赤色（Ｒ）、緑色（Ｇ）、青色（Ｂ）のいずれの画素１００（Ｒ）、（Ｇ）、（Ｂ）にも、有機ＥＬ素子１０が形成されている。有機ＥＬ素子１０は、ガラスなどからなる基板１１の上層側に、ＩＴＯなどからなる透明な陽極層１２、正孔輸送層１３、発光層１４、電子輸送層１５、マグネシウム−銀合金からなる半透過反射性をもつ陰極層１６がこの順に積層された構成を有する。
前記の各画素１００には、陽極層１２、正孔輸送層１３、発光層１４、電子輸送層１５、陰極層１６からなる有機ＥＬ素子１０が各々形成されるとともに、後述する反射層１９及び絶縁保護層１８が形成されており、該有機ＥＬ素子１０、反射層１９及び絶縁保護層１８から一単位としての画素が構成されている。
【００２１】
また、基板１１と陽極層１２の間には、アルミニウム、アルミニウム合金、銀、または銀合金からなる反射層１９（全反射層）が形成されている。そして、反射層１９からなる下層側反射層と陰極層１６からなる上層側反射層との間に光共振器４０が構成されている。
【００２２】
ここで、有機ＥＬ素子１０に用いた正孔輸送層１３および発光層１４は、いずれの画素１００（Ｒ）、（Ｇ）、（Ｂ）においても同一の材料から構成されている。そして、有機ＥＬ素子１０は、白色光を内部で発生させる。
【００２３】
ただし、本実施形態では、陽極層１２の厚さは、各画素１００（Ｒ）、（Ｇ）、（Ｂ）で相違しており、陽極層１２の厚さは、
画素１００（Ｂ）＜画素１００（Ｇ）＜画素１００（Ｒ）
である。例えば、陽極層１２の厚さは、各画素１００（Ｒ）、（Ｇ）、（Ｂ）で以下の値
画素１００（Ｂ）の陽極層１２の厚さ＝３０ｎｍ
画素１００（Ｇ）の陽極層１２の厚さ＝６５ｎｍ
画素１００（Ｒ）の陽極層１２の厚さ＝９５ｎｍ
に設定されている。従って、各画素１００（Ｒ）、（Ｇ）、（Ｂ）における光共振器４０の光学長（光学距離）は、各画素１００（Ｒ）、（Ｇ）、（Ｂ）で相違している。言い換えれば、陽極層１２の厚さは、光共振器の光学長が、各画素１００（Ｒ）、（Ｇ）、（Ｂ）から所定の色光が出射されるように調整されている。また、例えば、陽極層１２をなすＩＴＯの屈折率は１．９５とする。
【００２４】
このように構成した有機ＥＬ素子１０では、陽極層１２から正孔輸送層１３および発光層１４を通じて陰極層１６に電流が流れると、そのときの電流量に応じて発光層１４が発光する。そして、発光層１４が出射された光は陰極層１６を透過して、観測者側に出射される一方、発光層１４から基板１１に向けて出射された光は、陽極層１２の下層に形成された反射層１９によって反射され、陰極層１６を透過して観測者側に出射される。その際、発光層１４から出射された光は、光共振器４０の下層側反射層（反射層１９）と上層側反射層（陰極層１６）の間で多重反射され、光共振器４０の光学長が１／４波長の整数倍に相当する光の色度を向上させることができる。従って、有機ＥＬ素子１０は、白色光を内部で発生させるが、赤色（Ｒ）に対応する画素１００（Ｒ）から赤色光を出射し、緑色（Ｇ）に対応する画素１００（Ｇ）から緑色光を出射し、青色（Ｂ）に対応する画素１００（Ｂ）から青色光を出射する。
【００２５】
（絶縁保護層の構成）
また、本実施形態では、反射層１９と陽極層１２との層間に、反射層１９の表面および側面を覆うように光透過性の絶縁保護膜１８が形成されている。このような絶縁保護膜１８としては、例えば、厚さが約５０ｎｍ、屈折率が１．８のシリコン窒化膜（ＳｉＮ）が挙げられる。
【００２６】
（製造方法）
このような構成の有機ＥＬ装置１を製造するには、まず、基板１１の表面に光反射性を備えた金属膜（アルミニウム、アルミニウム合金、銀、または銀合金）をスパッタ法又は真空蒸着法などにより形成した後、フォトリソグラフィ技術を用いてパターニングし、反射層１９を形成する。
【００２７】
次に、反射層１９の表面側にシリコン窒化膜からなる絶縁保護膜１８をＣＶＤ法などにより形成する。
【００２８】
次に、絶縁保護膜１８の表面側に所定厚さのＩＴＯ膜をスパッタ法などで形成した後、ＩＴＯ膜の上層にフォトリソグラフィ技術を用いてレジストマスクを形成し、エッチングを行う。ただし、本実施形態では、陽極層１２の厚さは、各画素１００（Ｒ）、（Ｇ）、（Ｂ）で相違しているため、このような工程を３回繰り返す。これにより、陽極層１２が形成される。陽極層１２の形成方法は、本発明の特徴の一つであり、後で詳細に説明する。
【００２９】
次に、いわゆるインクジェット法とも言われる液滴吐出法などを利用して正孔輸送層１３および発光層１４を順次、形成する。この液滴吐出法は、液滴吐出ヘッドから、正孔輸送層１３や発光層１４を構成する材料の液状物を液滴として吐出した後、乾燥させて、正孔輸送層１３や発光層１４として定着させる方法である。その際、各画素１００（Ｒ）、（Ｇ）、（Ｂ）の周りにバンクと称する隔壁（図示せず）を形成しておき、吐出した液滴や液状物が周囲にはみ出さないようにすることが好ましい。
【００３０】
このような方法を採用するにあたって、正孔輸送層１３は、例えば、ポリオレフィン誘導体である３、４−ポリエチレンジオシチオフェン／ポリスチレンスルフォン酸（ＰＥＤＯＴ／ＰＳＳ）を正孔注入材料として用い、この有機溶剤を主溶媒として分散させてなる分散液を所定領域に吐出した後、乾燥させることにより形成できる。また、正孔輸送層１３を形成するための材料としては、前記のものに限定されることなく、ポリマー前駆体がポリテトラヒドロチオフェニルフェニレンであるポリフェニレンビニレン、１、１−ビスー（４−Ｎ、Ｎ−ジトリルアミノフェニル）シクロヘキサン等を用いることもできる。
【００３１】
また、発光層１４を形成する材料についても、高分子材料、例えば分子量が１０００以上の高分子材料が用いることが好ましい。具体的には、ポリフルオレン誘導体、ポリフェニレン誘導体、ポリビニルカルバゾール、ポリチオフェン誘導体、またはこれらの高分子材料に、ペリレン系色素、クマリン系色素、ローダミン系色素、例えばルブレン、ペリレン、９、１０−ジフェニルアントラセン、テトラフェニルブタジエン、ナイルレッド、クマリン６、キナクリドン等をドープしたものが用いられる。なお、このような高分子材料としては、二重結合のπ電子がポリマー頂上で非極在化しているπ共役系高分子材料が、導電性高分子でもあることから発光性能に優れるため、好適に用いられる。特に、その分子内にフルオレン骨格を有する化合物、すなわちポリフルオレン系化合物がより好適に用いられる。また、このような材料以外にも、例えば特開平１１−４０３５８号公報に示される有機ＥＬ素子用組成物、すなわち共役系高分子有機化合物の前駆体と、発光特性を変化させるための少なくとも１種の蛍光色素とを含んでなる有機ＥＬ素子用組成物も、発光層形成材料として使用可能である。
【００３２】
このようにして正孔輸送層１３および発光層１４を形成した後、電子輸送層１５および陰極層１６を順次形成する。
【００３３】
（陽極層の形成方法）
次に、陽極層１２の形成方法について具体的に説明する。
図２は、図１に示す有機ＥＬ装置１の陽極層１２の形成方法を示す模式断面図である。図３は、陽極層１２の形成方法の具体例を示す模式断面図である。
先ず、上記製造方法で述べたようにして、基板１１の表面に反射層１９を形成する。次いで、反射層１９の露出全体を覆うように絶縁保護膜１８を形成する。その後、絶縁保護膜１８の上層に、図２および図３に示すような厚みが画素ごとに異なる陽極層１２の形成工程を行う。
【００３４】
これらの陽極層１２は、図３（ａ），（ｂ），（ｃ）に示す３回のフォトリソ工程により形成したものである。また、図２に示すように、赤色（Ｒ）の画素１００（Ｒ）では、陽極層１２がＩＴＯ膜１２１、ＩＴＯ膜１２２およびＩＴＯ膜１２３の３層構造となっている。緑色（Ｇ）の画素１００（Ｇ）では、陽極層１２がＩＴＯ膜１２２およびＩＴＯ膜１２３の２層構造となっている。青色（Ｂ）の画素１００（Ｂ）では、陽極層１２がＩＴＯ膜１２３の１層構造となっている。
【００３５】
例えば、画素１００（Ｒ）の陽極層１２の膜厚ｄｒを９５ｎｍ、画素１００（Ｇ）の陽極層１２の膜厚ｄｇを６５ｎｍ、画素１００（Ｂ）の陽極層１２の膜厚ｄｂを３０ｎｍとする。
そして、図３（ａ）に示す第１回目のフォトリソ工程（第１工程）において、画素１００（Ｒ）の形成領域Ｒに概ね膜厚（ｄｒ−ｄｇ＝約３０ｎｍ）のＩＴＯ膜１２１を形成する。
次いで、図３（ｂ）に示す第２回目のフォトリソ工程（第２工程）において、画素１００（Ｒ）の形成領域Ｒと画素１００（Ｇ）の形成領域Ｇとに、概ね膜厚（ｄｇ−ｄｂ＝約３５ｎｍ）のＩＴＯ膜１２２を形成する。
次いで、図３（ｃ）に示す第３回目のフォトリソ工程（第３工程）において、画素１００（Ｒ）の形成領域Ｒと画素１００（Ｇ）の形成領域Ｇと画素１００（Ｂ）の形成領域Ｂとに、概ね膜厚（ｄｂ：約３０ｎｍ）のＩＴＯ膜１２３を形成する。
【００３６】
これらにより、画素１００（Ｒ）の形成領域Ｒには、（ｒ−ｇ）＋（ｇ−ｂ）＋ｂ＝ｒにより、膜厚ｄｒ（９５ｎｍ）の陽極層１２が形成される。また、画素１００（Ｇ）の形成領域Ｇには、（ｇ−ｂ）＋ｂ＝ｇにより、膜厚ｄｇ（６５ｎｍ）の陽極層１２が形成される。また、画素１００（Ｂ）の形成領域Ｂには、膜厚ｄｂ（３０ｎｍ）の陽極層１２が形成される。したがって、本実施形態によれば、各画素の発光色に対応した光共振に最適な光学膜厚の陽極層１２を比較的に容易に実現することができる。
【００３７】
次に、上記３回のフォトリソ工程についての具体的な処理例を説明する。先ず、絶縁保護膜１８の上層に、ＳｉＮ層を５０ｎｍ形成する。その後、第１工程を行う。
（第１工程）
上記ＳｉＮ層の上層に、膜厚３０ｎｍのＩＴＯをスパッタ法で成膜する。次いで、レジスト塗布、レジストプリキュア、マスク露光、レジスト現像をすることにより、画素１００（Ｒ）の画素領域Ｒのみにレジストがパターニングされた状態にする。次いで、レジストキュア、ＩＴＯエッチング、レジスト剥離をすることにより、画素１００（Ｒ）の画素領域Ｒのみに膜厚３０ｎｍのＩＴＯ１２１がパターニングされた状態とする（図３（ａ）の状態）。
【００３８】
（第２工程）
膜厚３５ｎｍのＩＴＯをスパッタ法で成膜する。次いで、レジスト塗布、レジストプリキュア、マスク露光、レジスト現像をすることにより、画素１００（Ｒ）の画素領域Ｒと画素１００（Ｇ）の画素領域Ｇのみにレジストがパターニングされた状態にする。次いで、レジストキュア、ＩＴＯエッチング、レジスト剥離をすることにより、画素１００（Ｒ）の画素領域Ｒと画素１００（Ｇ）の画素領域Ｇのみに膜厚３５ｎｍのＩＴＯ１２２がパターニングされた状態とする（図３（ｂ）の状態）。すなわち、画素領域Ｒでは３０ｎｍ＋３５ｎｍ＝６５ｎｍのＩＴＯが形成されたこととなり、画素領域Ｇでは３５ｎｍのＩＴＯが形成されたこととなる。
【００３９】
（第３工程）
膜厚３０ｎｍのＩＴＯをスパッタ法で成膜する。次いで、レジスト塗布、レジストプリキュア、マスク露光、レジスト現像をすることにより、画素１００（Ｒ）の画素領域Ｒと画素１００（Ｇ）の画素領域Ｇと画素１００（Ｂ）の画素領域Ｂとにレジストがパターニングされた状態にする。次いで、レジストキュア、ＩＴＯエッチング、レジスト剥離をすることにより、画素１００（Ｒ）の画素領域Ｒと画素１００（Ｇ）の画素領域Ｇと画素１００（Ｂ）の画素領域Ｂとに膜厚３０ｎｍのＩＴＯ１２３がパターニングされた状態とする（図３（ｃ）の状態）。すなわち、画素領域Ｒでは３０ｎｍ＋３５ｎｍ＋３０ｎｍ＝９５ｎｍのＩＴＯが形成されたこととなり、画素領域Ｇでは３５ｎｍ＋３０ｎｍ＝６５ｎｍのＩＴＯが形成されたこととなり、画素領域Ｂでは３０ｎｍのＩＴＯが形成されたこととなる。これらにより、陽極層１２の形成が完了する。
【００４０】
（本実施形態の効果）
これらにより本実施形態によれば、３回のフォトリソ工程で、赤色、緑色、青色の各画素について光共振に最適な光学膜厚を比較的容易に実現することができる。本実施形態にような製造方法及びＩＴＯ積層構造を用いないで、各色の画素ごとに異なる膜厚のＩＴＯ電極（陽極層１２）を形成するには、３回のフォトリソ工程では不可能である。また、本実施形態では、最も厚い赤色の画素領域Ｒの陽極層１２を３つの工程に分割して形成しているので、各工程（第１から第３工程）のエッチング時間を概ね近い時間とすることができ、工程管理を容易化することができる。また、１回の工程で形成する陽極層１２の膜厚を大きくした場合、エッチング時間の長時間化などによりサイドエッジが生じ易くなる。本実施形態によれば、第１工程及び第２工程においてエッチング深さを等分割することができ、サイドエッジの発生を回避することができる。
【００４１】
また、本実施形態では、複数の画素１００は各々、赤色（Ｒ）、緑色（Ｇ）、青色（Ｂ）に対応しているが、有機ＥＬ素子１０を構成する正孔輸送層１３や発光層１４などの有機機能層の材質は、対応する色にかかわらず、共通であり、いずれの色に対応するかは、陽極層１２の厚さによって決定されている。すなわち、本実施形態では、各画素１００に光共振器４０を構成し、陽極層１２の厚さによって、光共振器４０の光学長を赤色光、緑色光、青色光のいずれかに対応する長さに設定する。従って、画素１００がいずれの色に対応するかにかかわらず、有機ＥＬ素子１０の寿命は略等しいので、有機ＥＬ装置１全体の寿命を延ばすことができる。また、有機ＥＬ装置１を製造する際、画素１００間で同一の材料を用いるので、生産性を向上させることができる。
【００４２】
さらに、複数の画素１００には、陽極層１２の厚さが相違する画素が含まれているため、このような陽極層１２を形成する際には、複数回のエッチング工程を行うことになる。しかし、本実施形態では、陽極層１２と反射層１９との層間に、反射層１９を覆う光透過性の絶縁保護膜１８が形成されているため、反射層１９を形成した以降、陽極層１２を形成するのに何回のエッチングエ程を行っても、かかるエッチングによって、反射層１９が劣化することがない。特に本実施形態では、発光層１４で発生した光は、発光層１４からみて基板１１とは反対側に出射される。このような場合には、反射層１９には反射率が高いことが求められるが、本実施形態によれば、陽極層１２を形成する際のエッチングによって、反射層１９が劣化しないので、反射率の高い反射層１９を構成することができる。したがって、本実施形態は、光取り出し効率の高い有機ＥＬ装置を提供することができる。
【００４３】
ここで、反射層１９の反射率を高める場合には、反射層１９をアルミニウム、アルミウム合金、銀、あるいは銀合金で形成すればよい。このような金属層は、ＩＴＯ膜のエッチングに用いるエッチング液やエッチングガスで劣化しやすいが、本実施形態によれば、陽極層１２を形成する際のエッチングによって、反射層１９が劣化することがないので、反射層１９をアルミニウム、アルミウム合金、銀、あるいは銀合金で形成することができる。
【００４４】
また、本実施形態では、反射層１９と陽極層１２との間に絶縁保護膜１８が介在するので、絶縁保護膜１８の光学長（厚さ×屈折率）が光共振器４０の光学長に含まれることになる。この場合、絶縁保護膜１８の屈折率が大であると、光共振器４０に求められる光学長は画素が対応する色毎に決まっているため、絶縁保護膜１８の屈折率が大であると、陽極層１２を薄くしなければならず、陽極層１２の厚さ精度が低下する。
ところが本実施形態では、絶縁保護膜１８は、シリコン窒化膜（ＳｉＮ）から構成されており、その屈折率は、１．８と小であるため、陽極層１２を厚くすることができ、陽極層１２が厚ければ、厚さの精度を高くできるなどの利点がある。
【００４５】
ここで、絶縁保護膜１８の屈折率は陽極層１２の屈折率(＝１．９５)より小さいことが好ましく、このような材料としては、ＳｉＮの他、ＳｉＯＮ（屈折率１．７）、ＳｉＯ２又はアクリル樹脂（例えば屈折率１．６）などが好ましい。
【００４６】
これらにより、本実施形態によれば、画素に応じて異なる膜厚の陽極層１２の形成時に反射層１９を劣化させることなく、高効率な光共振器を備えた有機ＥＬ装置を製造することができる。
【００４７】
また、上記実施形態では、３原色でカラー表示する有機ＥＬ装置について説明したが、本発明は、２つの原色でカラー表示する有機ＥＬ装置に適用することもできる。例えば、緑色の画素１００（Ｇ）と青色の画素１００（Ｂ）とを有してなる有機ＥＬ装置とする。そして、図３（ｂ）と図３（ｃ）の工程を用いて、画素１００（Ｇ）の画素領域ＧにＩＴＯ膜１２２とＩＴＯ膜１２３からなる陽極層１２を形成し、画素１００（Ｂ）の画素領域ＢにＩＴＯ膜１２３からなる陽極層１２を形成する。これにより、２つの原色でカラー表示する有機ＥＬ装置の製造工程において、画素によって厚さの異なる陽極を比較的に容易にかつ高精度に形成することができる。また、本発明は、４つ以上の原色でカラー表示する有機ＥＬ装置に適用することもできる。
【００４８】
［第２実施形態］
図４は、本発明の第２実施形態に係る有機ＥＬ装置（ＥＬ装置）の構成を模式的に示す断面図である。
【００４９】
図４に示す有機ＥＬ装置１も、第１実施形態と同様、発光層１４から見て基板１１側とは反対側に向けて表示光を出射するトップエミッション型の装置であり、赤色（Ｒ）、緑色（Ｇ）、青色（Ｂ）のいずれの画素１００（Ｒ）、（Ｇ）、（Ｂ）にも、有機ＥＬ素子１０が形成されている。有機ＥＬ素子１０は、ガラスなどからなる基板１１の上層側に、ＩＴＯなどからなる透明な陽極層１２、正孔輸送層１３、発光層１４、電子輸送層１５、マグネシウム−銀合金からなる半透過反射性をもつ陰極層１６がこの順に積層された構成を有する。
【００５０】
また、基板１１と陽極層１２の間には、アルミニウム、アルミニウム合金、銀、または銀合金からなる反射層１９（全反射層）が形成されており、この反射層１９からなる下層側反射層と、陰極層１６からなる上層側反射層との間に光共振器４０が構成されている。さらに、有機ＥＬ素子１０に用いた正孔輸送層１３および発光層１４は、いずれの画素１００（Ｒ）、（Ｇ）、（Ｂ）においても同一の材料から構成されており、有機ＥＬ素子１０は、白色光を内部で発生させる。
【００５１】
ただし、本実施形態では、陽極層１２の厚さは、各画素１００（Ｒ）、（Ｇ）、（Ｂ）で相違しており、陽極層１２の厚さは、
画素１００（Ｂ）＜画素１００（Ｇ）＜画素１００（Ｒ）
である。例えば、陽極層１２の厚さは、各画素１００（Ｒ）、（Ｇ）、（Ｂ）で以下の値
画素１００（Ｂ）の陽極層１２の厚さ＝４０ｎｍ
画素１００（Ｇ）の陽極層１２の厚さ＝７０ｎｍ
画素１００（Ｒ）の陽極層１２の厚さ＝１１０ｎｍ
に設定されている。すなわち、陽極層１２の厚さは、光共振器の光学長が、各画素１００（Ｒ）、（Ｇ）、（Ｂ）から所定の色光が出射されるように調整されている。また、陽極層１２は、屈折率が１．９５のＩＴＯで構成されているものとする。
【００５２】
また、本実施形態では、反射層１９と陽極層１２との層間に、反射層１９の表面および側面を覆うように光透過性の絶縁保護膜１８が形成されている。このような絶縁保護膜１８として本実施形態では、厚さが約３０ｎｍ、屈折率が１．５のシリコン酸化膜が形成されている。
【００５３】
このような構成の有機ＥＬ装置１の製造方法は、第１実施形態と同様の製造方法とすることができる。特に、陽極層１２の形成方法は、第１実施形態の陽極層１２の形成方法と同様にすることが好ましい。
【００５４】
本実施形態によれば、陽極層１２と反射層１９との層間に、反射層１９を覆う光透過性の絶縁保護膜１８が形成されている。したがって、反射層１９を形成した以降、陽極層１２を形成するのに何回のエッチング工程を行っても、かかるエッチングによって、反射層１９が劣化することがないなど、第１実施形態と同様な効果を奏することができる。すなわち、本実施形態によれば、画素に応じて異なる膜厚の陽極層１２の形成時に反射層１９を劣化させることなく、高効率な光共振器を備えた有機ＥＬ装置を製造することができる。また、本実施形態によれば、絶縁保護膜１８の屈折率（１．５）が第１実施形態の絶縁保護膜１８の屈折率（１．８）よりも小さいので、陽極層１２の膜厚を第１実施形態よりも厚くすることができ、かかる陽極層１２をより製造し易いものとすることができる。
【００５５】
さらに、本実施形態では、陰極層１６の上層側には、各画素１００（Ｒ）、（Ｇ）、（Ｂ）に対応する位置に赤色（Ｒ）、緑色（Ｇ）、青色（Ｂ）のカラーフィルタ２１（Ｒ）、（Ｇ）、（Ｂ）が形成された透明基板２０が、エポキシ系の透明な接着剤層３０によって接着されている。従って、本実施形態によれば、第１実施形態と比較して、各画素１００（Ｒ）、（Ｇ）、（Ｂ）から色純度の高い光を出射でき、色再現範囲を広げることができる。
【００５６】
［その他の実施形態］
上記実施形態では、基板１１側とは反対側に向けて表示光を出射するトップエミッション型を例に説明したが、基板側に向けて表示光を出射するボトムエミッション型に本発明を適用してもよい。すなわち、ボトムエミッション型の場合には、陽極層の下層側に半透過反射性の下層側反射層を形成することになるが、陽極層と半透過反射性の下層側反射層との層間に絶縁保護膜を形成しておけば、陽極層をエッチング形成する際、下層側反射層が劣化することを防止できる。
【００５７】
また、上記実施形態では、陽極層１２と陰極層１６の間に、正孔輸送層１３、発光層１４および電子輸送層１５の３つの層があるが、陽極層１２と陰極層１６の間に、さらに複数の層（例えば、電子注入層、正孔注入層、２層目の発光層など）を入れた構造としてもよい。また、これらは、高分子タイプであっても低分子タイプであってもよい。
【００５８】
［表示装置への適用例］
本発明を適用した有機ＥＬ装置１は、パッシブマトリクス型表示装置あるいはアクティブマトリクス型表示装置として用いることができる。これらの表示装置のうち、アクティブマトリクス型表示装置は、図５に示す電気的構成とすることができる。
【００５９】
図５は、本発明の実施形態に係るアクティブマトリクス型の有機ＥＬ装置の電気的構成を示す回路図である。図５に示す有機ＥＬ装置１は、複数の走査線６３と、この走査線６３の延設方向に対して交差する方向に延設された複数のデータ線６４と、これらのデータ線６４に並列する複数の共通給電線６５と、データ線６４と走査線６３との交差点に対応して配置された画素１００（発光領域）とを有して構成されている。画素１００は、画像表示領域にマトリクス状に配置されている。
【００６０】
データ線６４は、シフトレジスタ、レベルシフタ、ビデオライン、アナログスイッチを備えるデータ線駆動回路５１に接続されている。走査線６３は、シフトレジスタおよびレベルシフタを備える走査線駆動回路５４に接続されている。また、画素１００の各々には、走査線６３を介して走査信号がゲート電極に供給される画素スイッチング用の薄膜トランジスタ６と、この薄膜トランジスタ６を介してデータ線６４から供給される画像信号を保持する保持容量３３と、この保持容量３３によって保持された画像信号がゲート電極４３に供給される電流制御用の薄膜トランジスタ７と、薄膜トランジスタ７を介して共通給電線６５に電気的に接続したときに共通給電線６５から駆動電流が流れ込む有機ＥＬ素子１０とが構成されている。また、有機ＥＬ装置１において、各画素１００は、赤色（Ｒ）、緑色（Ｇ）、青色（Ｂ）のいずれかに対応することになる。
【００６１】
［電子機器への搭載例］
本発明を適用した発光装置（ＥＬ装置）は、携帯電話機、パーソナルコンピュータ又はＰＤＡなど、様々な電子機器において表示装置として用いることができる。また、本発明を適用した発光装置は、デジタル複写機又はプリンタなどの画像形成装置における露光用ヘッドとして用いることもできる。
【００６２】
なお、本発明の技術範囲は上記実施形態に限定されるものではなく、本発明の趣旨を逸脱しない範囲において種々の変更を加えることが可能であり、実施形態で挙げた具体的な材料や層構成などはほんの一例に過ぎず、適宜変更が可能である。
【００６３】
例えば、上記実施形態では、ＲＧＢの３原色の画素でカラー表示しているが、本発明はこれに限定されるものではなく、４原色又は５原色以上の画素でカラー表示する構成としてもよい。また、発光色の異なる２つの画素で、カラー表示する構成としてもよい。例えば４原色でカラー表示する構成の場合は、ＲＧＢの画素に、シアン、マゼンダ、イエローのいずれか１つの色を発光する画素を加えることとする。
【００６４】
また、上記実施形態では、本発明に係る表示装置について有機ＥＬ素子を画素として用いて構成した例を挙げているが、本発明はこれに限定されるものではなく、本発明に係る表示装置は有機ＥＬ素子以外の各種電気光学素子などを用いて構成することができる。また、本発明に係る表示装置は、電気光学装置などの表示装置以外の照明装置に適用することができる。ここで、照明装置とは、画像又は情報などを表示する表示装置ではなく、所定の光を被照射体に出射するものである。
【００６５】
また、本発明に係る表示装置（ＥＬ装置）は、各種家電機器の操作パネル、各種計器類、操作部を有するモニタなどに適用することもできる。
【図面の簡単な説明】
【００６６】
【図１】本発明の第１実施形態に係る有機ＥＬ装置の構成を示す断面図である。
【図２】同上の有機ＥＬ装置における陽極層の形成方法を示す断面図である。
【図３】同上の陽極層の形成方法を具体的に示す模式断面図である。
【図４】本発明の第２実施形態に係る有機ＥＬ装置の構成を示す断面図である。
【図５】本発明の実施形態に係る有機ＥＬ装置の電気的構成例を示す回路図である。
【符号の説明】
【００６７】
１…有機ＥＬ装置、１０…有機ＥＬ素子、１１…基板、１２…陽極層、１３…正孔輸送層、１４…発光層、１５…電子輸送層、１６…陰極層（上層側反射層）、１８…絶縁保護膜、１９…反射層（下層側反射層）、２１（Ｒ）、（Ｇ）、（Ｂ）…カラーフィルタ、４０…光共振器、１００（Ｒ），（Ｇ），（Ｂ）…画素、１２１，１２２，１２３…ＩＴＯ膜
【図１】
0004449846.tif 000002
【図２】
0004449846.tif 000003
【図３】
0004449846.tif 000004
【図４】
0004449846.tif 000005
【図５】
0004449846.tif 000006